(57)【要約】【課題】出湯管から放出されているお湯に接触しなくても、出湯管から放出されているお湯の実際の温度を視認により確実に把握できるガス湯沸器を提供する。【解決手段】ガス湯沸器1は、給水管4aを流れる水をガスバーナ2により加熱して湯を生成し、給湯管4bに送る加熱部と、加熱部での加熱温度を設定する温度設定部72と、給湯管4bの下流端に接続され、先端に吐出ヘッド6を有する出湯管42と、ガスバーナ2の点消火を制御する制御部9とを備える。吐出ヘッド6は、吐出ヘッド6を通過する水の温度を検知する温度センサ65及び検知温度に基づいて異なる色で発光するＬＥＤ64a,64b,64cを備える。制御部9は、温度センサ65で検知した水温に基づいてＬＥＤの色を決定し、決定された色でＬＥＤを発光させる色決定部92を有する。使用者は、ＬＥＤを見るだけで、出湯管42から放出されているお湯の温度を接触しなくても確実に把握することができる。【選択図】図３
2010144959.tif 000002
【特許請求の範囲】
【請求項１】
器具本体内に設けられ、給水管を流れる水をガスバーナにより加熱して湯を生成し、給湯管に送る加熱部と、外部操作により前記加熱部での加熱温度を設定する温度設定部と、前記給湯管の下流端に接続され、水又は温水を放出させる出湯管と、当該出湯管の先端に設けられる吐出ヘッドと、前記ガスバーナの点消火を制御する制御部とを備えるガス湯沸器であって、
前記吐出ヘッドは、当該吐出ヘッドを通過する水の温度を検知する温度検知部と、検知温度に基づいて異なる色で発光する光源部とを備え、前記温度検知部及び光源部は、前記出湯管を介して前記制御部と電気的に接続され、
前記制御部は、前記温度検知部で検知した水温に基づいて前記光源部の色を決定し、決定された色で前記光源部を発光させる色決定部を有することを特徴とするガス湯沸器。
【請求項２】
請求項１に記載のガス湯沸器において、
前記制御部は、前記吐出ヘッドから吐出される流量に基づいて前記光源部の発光強度を変化させる発光強度設定部を備えるガス湯沸器。
【請求項３】
請求項２に記載のガス湯沸器において、
前記給水管又は給湯管に流量を検知する流量センサを設け、
前記制御部の発光強度設定部は、前記流量センサで検出した流量に基づいて前記光源部の発光強度を変化させることを特徴とするガス湯沸器。
【請求項４】
請求項１に記載のガス湯沸器において、
前記給水管に一端が接続され、他端が前記給湯管に接続されるバイパス管と、
前記温度設定部の操作に連動して前記給水管から前記バイパス管へ供給する水量を調節する水量調節部とを備え、
前記制御部は、前記水量調節部による前記バイパス管への水量に基づいて前記吐出ヘッドから吐出される流量を算出する流量算出部、及び前記流量算出部で算出した流量に基づいて前記光源部の発光強度を変化させる発光強度設定部を備えるガス湯沸器。
【請求項５】
請求項１から請求項４の何れかに記載のガス湯沸器において、
前記光源部は、色の相違する２以上の発光ダイオードにより構成されているガス湯沸器。
【発明の詳細な説明】
【技術分野】
【０００１】
本発明は、ガス湯沸器、特に、吐出ヘッドから放出されている温水の温度が接触することなく直ぐに認識できるガス湯沸器に関するものである。
【背景技術】
【０００２】
家庭や飲食店内等の調理場に設置されるガス湯沸器は、一般に、給水管を流れる水をガスバーナにより加熱して湯を生成する加熱部と、点消火操作及び出湯の温度調節をするための操作ボタンとを備えている（例えば、特許文献１参照）。
【０００３】
従来のガス湯沸器は、器具本体の正面に、前記操作ボタンが設けられると共に、ガス量調節レバーも設けられている。前記操作ボタンは、回動自在なプッシュ式ボタンで構成されており、ボタンをプッシュすることにより点消火操作を行い、ボタンを回すことにより温度及び吐出水量を調節するようになっている。前記ガス量調節レバーは、左右に動かすことにより、前記ガスバーナへのガスの供給量を調節できるようになっている。
【０００４】
前記器具本体内に設ける加熱部は、ガスを燃焼するガスバーナと、このガスバーナの燃焼ガスにより加熱される熱交換器とを備えている。また、前記給水管には、前記熱交換器より下流の給湯管に連通するバイパス管が接続されている。
【０００５】
従来のガス湯沸器では、前記給水管を流れる水をガスバーナの燃焼ガスにより加熱し、給湯管に供給された温水を、前記バイパス管を介して常温水と混合させて前記操作ボタンの回動操作により設定された温度の温水を生成して給湯管の下流先端部に接続される出湯管から放出するようになっている。
【特許文献１】特開２００８−５１４２９号公報
【特許文献２】特開２００１−１２３４８５号公報
【発明の開示】
【発明が解決しようとする課題】
【０００６】
ところで、ガス湯沸器は、加熱部から蛇口までの配管の長さが長い場合には、出湯操作を開始してから、設定した温度の湯が蛇口から出るまでにタイムラグが生じる。そのため、直前に熱湯が使用されていた場合には、配管内に高温のお湯が残っており、使用者が中温又は低温に温度設定した場合でも、点火操作後に、この高温の湯が蛇口から流れ始め、使用者は、お湯の温度に気がつかずに不快な思いをする虞がある。また、前回の使用時から長時間経過している場合には、配管内には低温の水が残っており、点火操作後、しばらくの間は蛇口からは冷水が流れ続け、特に、冬場においては、設定温度に至るまでに時間が掛かり、温度上昇変化が分からないために冷たい水に触れて不快な思いをすることが多かった。
【０００７】
また、特許文献２にも開示されているように、洗面所や浴室に設けられるカランなどの水栓器具において、カランのハンドルの位置（角度）でお湯の温度が調節できるようにしたものがある。特許文献２に開示されている水栓器具は、カランの胴部に色の異なる発光ダイオード(ＬＥＤ)を複数組み込んでおき、カランのハンドルの角度に応じて、ＬＥＤの発色を変えるようにしている。
【０００８】
特許文献２に開示されている水栓器具は、蛇口から出る水の温度をＬＥＤの色で視認できるようにしているが、ＬＥＤの色は、カランのハンドルの角度で決定されているため、給湯器から蛇口までの配管の長さが長く、前回使用した時から時間が経過している場合には、蛇口からは点火操作後しばらくの間は冷水が流れ続け、実際に蛇口から出る水の温度とＬＥＤの色で示す温度とが一致しない。
【０００９】
また、ガス湯沸器では、過去に使用したときに高温に設定され、このままの状態で放置されていた場合、次の使用者が、その設定状態に気がつかずにそのままの温度設定で使用するとやけどをする虞がある。
【００１０】
本発明は、上記問題に鑑みて成したものであり、出湯管から放出されているお湯に接触しなくても、出湯管から放出されているお湯の実際の温度を確実に把握することができるガス湯沸器を提供することを目的とする。
【課題を解決するための手段】
【００１１】
本発明に係るガス湯沸器は、器具本体内に設けられ、給水管を流れる水をガスバーナにより加熱して湯を生成し、給湯管に送る加熱部と、外部操作により前記加熱部での加熱温度を設定する温度設定部と、前記給湯管の下流端に接続され、水又は温水を放出させる出湯管と、当該出湯管の先端に設けられる吐出ヘッドと、前記ガスバーナの点消火を制御する制御部とを備えるガス湯沸器であって、前記吐出ヘッドは、当該吐出ヘッドを通過する水の温度を検知する温度検知部と、検知温度に基づいて異なる色で発光する光源部とを備え、前記温度検知部及び光源部は前記出湯管を介して前記制御部と電気的に接続され、前記制御部は、前記温度検知部で検知した水温に基づいて前記光源部の色を決定し、決定された色で前記光源部を発光させる色決定部を有することを特徴とする。
【００１２】
上記構成によれば、前記出湯管の先端に設ける前記吐出ヘッドに前記温度検知部を設けているので、この温度検知部により実際に前記吐出ヘッドから放出される温水の温度を検知し、この検知温度に基づいて、前記吐出ヘッドに設ける前記光源部を水温に対応した色で発光させることができる。従って、使用者は、出湯管から放出される温水に接触しなくても、発光している光源部の色で吐出ヘッドから放出されるお湯の実際の温度を確実に把握することができる。また、前記光源部を発光させることにより、手元が明るくなり、洗浄物などがよく見えて作業がし易くなる。
【００１３】
また、本発明のガス湯沸器は、さらに、前記制御部は、前記吐出ヘッドから吐出される流量に基づいて前記光源部の発光強度を変化させる発光強度設定部を備えるように構成することが好ましい。このように前記吐出ヘッドから吐出される流量に基づいて前記光源部の発光強度を変化させることにより、前記吐出ヘッドから放出される流量を使用者は直ぐに視認できる。
【００１４】
特に、ガス湯沸器において、お湯の温度設定が高くなると、前記吐出ヘッドから放出される流量が少なくなるように設定されている場合、発光している前記光源部の色と発光強度により、さらに詳細に出湯の温度が確実に把握でき、しかも、使用者に流量を認識させて、節約を促させることもできる。例えば、低温に設定している場合には、前記吐出ヘッドから放出される流量が高温時よりも多くなる。この場合、発光している前記光源部の発光強度が流量によって異なるので、使用者は、直ぐに流量が多いことを視認でき、例えば、ガスバーナへのガス量と給湯管への水量とが使用者により調整可能となっている場合には、これらの量を少なくなるように調整することにより、水温はそのままで、前記吐出ヘッドから放出される水量を少なくするように調整できる。
【００１５】
また、本発明のガス湯沸器は、前記制御部が前記発光強度設定部を備える場合において、前記給水管又は給湯管に流量を検知する流量センサを設け、前記発光強度設定部が、前記流量センサで検出した流量に基づいて前記光源部の発光強度を変化させるように構成することが好ましい。このように構成することにより、流量センサによってリアルタイムに吐出ヘッドから吐出される流量を確実に測定でき、測定された流量に基づいた細かい発光強度の変化を得ることができる。
【００１６】
また、本発明のガス湯沸器は、前記給水管に一端が接続され、他端が前記給湯管に接続されるバイパス管と、前記温度設定部の操作に連動して前記給水管から前記バイパス管へ供給する水量を調節する水量調節部とを備え、前記制御部が、前記水量調節部による前記バイパス管への水量に基づいて前記吐出ヘッドから吐出される流量を算出する流量算出部、及び前記流量算出部で算出した流量に基づいて前記光源部の発光強度を変化させる発光強度設定部を備えるように構成することが好ましい。
【００１７】
このような構成によれば、前記バイパス管を流れる水量に基づいて、前記吐出ヘッドから放出される流量を算出して、この算出結果に基づいて前記光源部の発光強度を変化させることにより、前記吐出ヘッドから放出される流量を使用者は直ぐに視認できる。しかも、水量調節部が温度設定部と連動しているので、お湯の温度設定が高くなれば、前記吐出ヘッドから放出される流量も少なくなるので、発光している前記光源部の色と発光強度により、より詳細に出湯の温度が視認できる。
【００１８】
さらに、使用者に流量を認識させて、節約を促させることもできる。例えば、低温に設定している場合には、前記バイパス管に流れる水量が多くなって、前記吐出ヘッドから放出される流量が高温時よりも多くなる。この場合、発光している前記光源部の発光強度が流量によって異なるので、使用者は、直ぐに流量が多いことを視認でき、前記バイパス管への水量を減少させることにより、前記吐出ヘッドから放出される水量を少なくするように調整できる。
【００１９】
さらに、本発明のガス湯沸器は、前記光源部を色の相違する２以上の発光ダイオードにより構成することが好ましい。このように構成することにより、安価で、耐久性に優れた光源部を構成することができる。
【発明の効果】
【００２０】
本発明のガス湯沸器によれば、前記温度検知部を前記吐出ヘッドに設けたため、使用者は、出湯管から放出される温水に接触しなくても、発光している光源部の色の違いにより吐出ヘッドから放出されるお湯の実際の温度を確実に把握することができる。従って、設定温度よりも低温あるいは高温の温水が出湯管から放出されている場合や、高温の設定状態に気付かずにお湯が出されている場合でも、光源部の発光状態で確実に実際の水温を把握でき、意に反した温度のお湯に触れることによる不快感を回避することができる。また、前記光源部を発光させることにより、手元が明るくなり、洗浄物などがよく見えて作業がし易くなる。
【発明を実施するための最良の形態】
【００２１】
（実施形態１）
本発明のガス湯沸器の一実施例を図１〜図５に基づいて説明する。図１はガス湯沸器の正面図、図２はガス湯沸器の側面図、図３はガス湯沸器の構成ブロック図、図４はガス湯沸器に取り付けられる出湯管の先端に設ける吐出ヘッドの正面図、そして、図５は吐出ヘッドの底面図である。
【００２２】
ガス湯沸器1は、器具本体11内に、図３に示すように、ガスと空気の混合ガスを燃焼させて燃焼排気を生成するガスバーナ2と、ガスバーナ2にガスを供給するガス供給管3と、給水管4aと、給湯管4bと、熱交換器5と、ガスバーナ2の点火及び消火を制御する制御部9とを備える。
【００２３】
さらに、器具本体11の下部には、図１及び図２に示すように、ガス供給管3の入口となるガス取入口31と、給水管4aの入口となる水取入口41と、給湯管4bの出口に接続される出湯管42とを備え、この出湯管42の先端に吐出ヘッド6が設けられている。また、器具本体11の正面には、ガスバーナ2の点火及び消火の操作と出湯の温度調整を行なうための操作ボタン7が設けられ、器具本体11の下部には、ガスバーナ2に供給するガス量を調整するためのガス量調節レバー8が設けられている。
【００２４】
操作ボタン7は、回動自在なプッシュ式ボタンにより構成されており、ボタンの押圧操作によりガスバーナ2の点消火が行なえ、ボタンのツマミを回動操作することにより出湯の温度調節が行なえるようになっている。
【００２５】
操作ボタン7は、図３に示すように、ガスバーナ2の点消火を行う点消火部71と、出湯の温度調節を行なう温度設定部72を備え、ボタンの押圧操作により点消火部71が作動し、ボタンの回動操作により温度設定部72が作動するようになっている。
【００２６】
ガス量調節レバー8は、左側の能力小の位置から右側の能力大の位置の範囲でスライド操作することによってガスバーナ2へのガス供給量を調節できるようになっている。
【００２７】
ガスバーナ2は、ガス取入口31に接続されるガス配管（図示しない）へ繋がるガス供給管3に接続されている。ガスバーナ2の炎孔の近傍には、火花放電する点火プラグ21と、先端に設ける感熱部の表面温度に応じて起電力を増減させる熱電対22とが配設されている。熱電対22は、その先端の感熱部が炎孔へ臨む位置に配設されてガスバーナ2の炎を検知する。これら点火プラグ21と熱電対22とは制御部9に電気的に接続されている。
【００２８】
ガス供給管3には、上流側より、ガス遮断弁32、ガス量調節弁33、そして、ガス開閉弁34が設けられている。ガス遮断弁32は、制御部9の出湯動作制御プログラムにより開閉の制御が行なわれる。
【００２９】
ガス量調節弁33は、ガス量調節レバー8の手動操作と連動してガス流路の大きさが変動するようになっており、ガス量調節弁33による流路の開度によりガスバーナ2へのガス供給量を調節する。具体的には、本実施の形態のガス量調節弁33は、図１において、ガス量調節レバー8を左側に向かってスライドさせると、ガス量調節弁33が絞られてガスバーナ2へのガス供給量が少なくなり、右側に向かってスライドさせると、ガスバーナ2へのガス供給量が多くなるようになっている。また、ガス開閉弁34は、後述するダイヤフラム機構44の動作によって開閉される。
【００３０】
熱交換器5は、配管を蛇行状に曲げて形成された吸熱部51と、この吸熱部51に対して交差するように併設させた多数のフィン52とを備えている。吸熱部51は、一端が給水管4aに接続され、他端が給湯管4bに接続される。熱交換器5は、ガスバーナ2の上方に配置され、ガスバーナ2の燃焼ガスにより給水管4aを流れる水を吸熱部51において加熱するようになっている。本実施の形態では、熱交換器5とガスバーナ2により本発明の加熱部を構成している。
【００３１】
給水管4aには、上流側から、止水弁43、ダイヤフラム機構44及び水量調節弁45が設けられている。止水弁43及び水量調節弁45は、制御部9に電気的に接続されている。止水弁43は、操作ボタン7の押圧動作に伴って、制御部9により開閉の制御が行なわれる。
【００３２】
ダイヤフラム機構44は、給水管4a内の水圧に応じて往復移動するダイヤフラムと、ダイヤフラムの中心部とガス開閉弁34とを繋ぐプッシュロッドとを備えており、上記ダイヤフラムが給水管4a内の通水時の水圧を受けることによって、プッシュロッドをその軸線方向へ摺動させ、ガス開閉弁34を開放させるように構成されている。
【００３３】
給水管4aにおけるダイヤフラム機構44よりも下流側にはバイパス管46が接続されており、このバイパス管46における給水管4aへの接続部分の近くに水量調節弁45が設けられている。この水量調節弁45により、給水管4aから分岐されたバイパス管46への水量を調節する。バイパス管46の下流端は、図３に示すように、熱交換器5よりも下流の給湯管4bに接続されている。
【００３４】
水量調節弁45は、操作ボタン7の回動操作に連動して流路の開度を変化させることにより、給水管4aからバイパス管46へ流す水量を調節するようなっている。例えば、操作ボタン7を左に回動させて低温に設定した場合には、水量調節弁45により、給水管4aからバイパス管46へ流れる水量が多くなり、熱交換器5で加熱されて給湯管4bを流れる温水にバイパス管46から多めの常温水を混合させて低温の温水が生成される。水量調節弁45のバイパス管46に対する開度は、図示しない位置センサ又はマイクロスイッチ等により検知して制御部9に入力するようになっている。
【００３５】
給湯管4bの下流端に接続される出湯管42は、金属製のフレキシブル管に樹脂管を被覆して構成され、先端にストレート状の水流とシャワー状の水流に切換可能な吐出ヘッド6が取り付けられている。
【００３６】
吐出ヘッド6は、図４に示すように、側面に水流切り替えスイッチ61が設けられており、図４において、スイッチの右側を押すとシャワー状の水流が吐出ヘッド6から放出され、左側を押すとストレート状の水流が放出されるようなっている。
【００３７】
吐出ヘッド6は、図４及び図５に示すように、底面に、ストレート状の水流が放出されるストレート水流吐出口62と、シャワー状の水流が放出される多数のシャワー水流吐出口63と、光源部となる３つの発光ダイオード（ＬＥＤ）64a,64b,64cが設けられている。
【００３８】
ストレート水流吐出口62は、吐出ヘッド6の底面の中央部に一つ形成されており、シャワー水流吐出口63は、ストレート水流吐出口62の回りに多数形成されている。３つのＬＥＤ64a,64b,64cは、底面の外周縁部に周方向に等間隔で配置されており、赤色ＬＥＤ64aと、緑色ＬＥＤ64bと、青色ＬＥＤ64cが取り付けられている。３つのＬＥＤ64a,64b,64cは、出湯管42を介して制御部9と電気的に接続されている。
【００３９】
さらに、吐出ヘッド6は、図３に示すように、温水が通過する水路内に温度検知部となる温度センサ65が設けられており、この温度センサ65により、吐出ヘッド6から放出される温水の温度を検知している。温度センサ65も、出湯管42を介して制御部9と電気的に接続されており、温度センサ65で検知した水温は、制御部9に出力する。
【００４０】
制御部9は、点消火制御部91と、色決定部92と、流量算出部93と、発光強度設定部94とを備えている。制御部9は、操作ボタン7を一回押す毎に吐出ヘッド6からの出湯の開始と停止とを切り替える出湯動作の制御を行なったり、操作ボタン7の回動させた位置に応じて動作した水量調節弁45の開度を記録したり、熱電対22の温度検出結果に基づいてガスバーナ2の燃焼を停止させる不完全燃焼防止動作の制御を行なったりなど、出湯運転全体の制御プログラムを実行するマイクロコンピュータが組み込まれている。
【００４１】
点消火制御部91は、操作ボタン7による点消火の操作により、点火プラグ21を火花放電させる制御や、給水管4aの止水弁43を開閉する制御を行なう。
【００４２】
本実施の形態では、操作ボタン7の押圧操作により、操作ボタン7に設ける接点の導通又は遮断が行なわれるようになっており、接点の導通により、制御部9において出湯が開始され、接点の遮断により、出湯が停止されるようになっている。例えば、操作ボタン7の押圧操作により接点が導通すると、制御部9は点火プラグ21を火花放電させ、ガスバーナ2が点火するようになっている。
【００４３】
色決定部92は、温度センサ65で検知した水温に基づいて３つのＬＥＤ64a,64b,64cの中から、水温に対応した色のＬＥＤ64a,64b,64cを決定し、決定した色のＬＥＤ64a,64b,64cを発光させる。例えば、高温の範囲（５０℃超）を赤色に、中温の範囲(４０℃〜５０℃)を緑色に、低温の範囲(４０℃未満)を青色に設定し、検知した温度に基づいて、各温度範囲の色のＬＥＤを発光させる。
【００４４】
流量算出部93は、水量調節弁45の開度により決定されるバイパス管46を流れる水量に基づいて吐出ヘッド6から放出される流量を算出する。具体的には、水量調節弁45の開度が位置センサ等により制御部9の点消火制御部91に常に入力されており、この水量調節弁45の開度に基づいて、バイパス管46を流れる水量を算出し、熱交換器5を流れる水量（一定）を加算して、吐出ヘッド6から放出される流量を算出する。
【００４５】
発光強度設定部94は、流量算出部93で算出した吐出ヘッド6から放出される流量に基づいて、検知温度に対応して発光しているＬＥＤ64a,64b,64cの発光強度を変化させる。具体的には、操作ボタン7により中温に設定された状態で、検知された水温も中温の範囲(４０℃〜５０℃)となって緑色ＬＥＤ64bが発光している際に、流量算出部93で算出した吐出ヘッド6から放出される流量が少ない場合には、緑色ＬＥＤ64bの発光強度を弱くし、流量が多い場合には、発光強度を強くするように制御を行なう。
【００４６】
［出湯動作］
本実施の形態では、ガスバーナ2が消火されている状態で操作ボタン7が押されると、制御部9の出湯動作制御プログラムによって、止水弁43を開放し、水道から給水管4aを介して熱交換器5へ水の供給を開始すると共に、通水により給水管4a内の水圧を受けたダイヤフラム機構44がガス開閉弁34を開方向に作動させる。制御部9は、さらに、操作ボタン7の押圧動作により、点火プラグ21を火花放電させた後、ガス遮断弁32を開放し、ガスバーナ2が点火されて、燃焼を開始する。
【００４７】
これにより、給水管4aから熱交換器5へ供給された水は、その吸熱部51においてガスバーナ2の燃焼ガスによって加熱され、給湯管4bにおいてバイパス管46から供給される水と混合された後、出湯管42を介して吐出ヘッド6から出湯される。
【００４８】
そして、ガスバーナ2が燃焼している状態において、操作ボタン7を押すと、制御部9の出湯動作制御プログラムによってガス遮断弁32および止水弁43が閉塞され、ガスバーナ2へのガスの供給および熱交換器5への水の供給が共に遮断される。これにより、ガスバーナ2が消火されると同時に、吐出ヘッド6からの出湯が停止される。
【００４９】
［温調動作］
操作ボタン7を高温出湯位置まで回動させた状態では、水量調節弁45の開度が最小開度になっており、給水管4aからバイパス管46へ流れる水量は少なくなる。これにより、吐出ヘッド6からは高温の湯が放出される。
【００５０】
操作ボタン7を高温出湯位置から低温出湯位置まで段階的に回動させると、水量調節弁45の開度が段階的に大きくなる。これにより、熱交換器5で加熱された温水とバイパス管46から給湯管4bに流入した水とが混合されて操作ボタン7で設定された温度に対応した温水が、吐出ヘッド6から放出される。
【００５１】
操作ボタン7を低温位置からさらに出水位置まで回動させた状態では、水量調節弁45の開度が最大開度まで開放されるとともに、ガス遮断弁32が閉塞される。これにより、ガスバーナ2は点火されず、吐出ヘッド6からは常温の水が放出される。
【００５２】
操作ボタン7を出水位置から出湯位置まで戻した状態では、水量調節弁45の開度が、設定された湯温に対応した開度まで小さくなると共に、点火プラグ21を火花放電させた後、ガス遮断弁32を開いて、再びガスバーナ2が点火される。
【００５３】
［出湯の水温及び流量の視認］
出湯管42の先端に設ける吐出ヘッド6に温度センサ65及びＬＥＤ64a,64b,64cを設けているので、温度センサ65により実際に吐出ヘッド6から放出される温水の温度を検知し、この検知温度に基づいて、吐出ヘッド6に設けるＬＥＤ64a,64b,64cを水温に対応した色（赤色又は緑色又は青色）で発光させる。
【００５４】
また、制御部9に記録されている水量調節弁45の開度により、バイパス管46を流れる水量が算出され、吐出ヘッド6から放出される流量が算出されると、この算出結果に基づいて検知温度に基づいて発光しているＬＥＤ64a,64b,64cの発光強度を流量に対応した発光強度で発光させる。例えば、流量が多くなるほどＬＥＤ64a,64b,64cの発光強度を強くする。
【００５５】
本実施の形態のガス湯沸器1では、使用者は、出湯管42から放出される温水に接触しなくても、発光しているＬＥＤ64a,64b,64cの色によって吐出ヘッド6から放出されるお湯の実際の温度を視覚的に確実に把握することができる。従って、操作ボタン7で設定した温度よりも低温あるいは高温の温水が出湯管から放出されている場合や、高温の設定状態に気付かずにお湯が放出された場合でも、ガス湯沸器1の使用時に使用者の視界に直ぐに入る吐出ヘッド6に設けたＬＥＤ64a,64b,64cを発光させることにより、発光したＬＥＤ64a,64b,64cの色により実際の水温を確実に把握することができるので、意に反した温度のお湯に触れる不快感を回避することができる。さらに、ＬＥＤ64a,64b,64cを発光させることにより、ＬＥＤ64a,64b,64cが照明となって手元が明るくなり、作業がし易くなる。
【００５６】
また、バイパス管46を流れる水量に基づいて、吐出ヘッド6から放出される流量を算出し、この算出結果に基づいて発光しているＬＥＤ64a,64b,64cの発光強度を変えることにより、吐出ヘッド6から放出される流量を使用者は直ぐに視認できる。しかも、本実施の形態のガス湯沸器1は、水量調節弁45が操作ボタン7の回動操作に連動するので、設定温度が高くなれば、吐出ヘッド6から放出される流量も少なくなり、発光しているＬＥＤ64a,64b,64cの色と発光強度により、より詳細に出湯の温度が視認できる。
【００５７】
さらに、本実施の形態のガス湯沸器1によれば、発光しているＬＥＤ64a,64b,64cの発光強度により、使用者に流量を認識させて、節約を促させることもできる。従って、低温に設定している場合には、バイパス管46に流れる水量が多くなって、吐出ヘッド6から放出される流量が高温時よりも多くなるが、発光しているＬＥＤ64a,64b,64cの発光強度が流量によって異なるので、使用者は、直ぐに流量が多いことを視認できる。その結果、使用者は、操作ボタン7の回動操作やガス量調節レバー8の操作を行なうことにより、ガスバーナ2へのガス量を少なくなるように調整すると共に、前記バイパス管46への水量も減少させることにより、前記吐出ヘッド6から放出される水量を少なくするように調整できる。尚、ガス量調節レバー8は、通常は、主として、夏場と冬場でガスバーナ2の燃焼量の設定を切り替える際に使用される。
【００５８】
（実施形態２）
上記実施形態１は、吐出ヘッド6から放出される出湯の流量は、バイパス管46を流れる水量を調節する水量調節弁45の開度に基づいて決定した。実施形態２は、図６のガス湯沸器の構成ブロック図に示すように、パイパス管を設けず、給水管4aに流量調整弁47及び流量センサ48を設けて、流量センサ48により給水管4aを流れる実際の水量を検知するようにしている。本実施形態２は、熱交換器5を流れる水量を流量調整弁47で調整して温度調節を行なうようにしている。なお、本実施形態２は、上記実施形態１と同じ構成部分については、同じ符号で示し、説明を省略する。
【００５９】
本実施形態２は、流量調整弁47及び流量センサ48は、止水弁43とダイヤフラム機構44との間に設けられている。流量調整弁47は、操作ボタン7の回動操作に連動して流路の開度を変化させることにより、給水管4aから熱交換器5へ流す水量を調節するようになっている。例えば、操作ボタン7を左に回動させて低温に設定した場合には、流量調整弁47の開度が大きくなって、給水管4aから熱交換器5へ流れる水量が多くなり、右に回動させて高温に設定した場合には、流量調整弁47が絞られて、給水管4aから熱交換器5へ流れる水量が少なくなる。なお、流量センサ48は制御部9に電気的に接続されており、流量センサ48で検知した結果は、制御部9の発光強度設定部94に入力される。
【００６０】
制御部9は、点消火制御部91と、色決定部92と、発光強度設定部94とを備え、本実施形態では流量算出部は備えていない。本実施形態では、流量センサ48で検知した結果が発光強度設定部94に入力され、発光強度設定部94は、流量センサ48で検知した流量結果に基づいて、上記実施形態１と同様に検知温度に対応して発光しているＬＥＤ64a,64b,64cの発光強度を変化させる。
【００６１】
上記各実施形態では、光源部となるＬＥＤ64a,64b,64cを吐出ヘッド6の底面に設けたが、吐出ヘッド6の側面に設けてもよい。
【００６２】
また、上記各実施形態では、光源部として安価で、耐久性に優れたＬＥＤを用いたが、光源部となる発光体はＬＥＤには限定されない。また、温度センサ65による出湯の検知温度が一定となった場合には、全てのＬＥＤ64a,64b,64cを発光させるようにすることもできる。このように、全てのＬＥＤ64a,64b,64cを発光させることにより、三色の色が混ざって発光が白色に近くなると共に、手元が一層明るくなり、作業がさらにし易くなる。
【００６３】
また、本発明のガス湯沸器は、各ＬＥＤ64a,64b,64cは、多色発光ＬＥＤを使用することもできる。この場合、全てのＬＥＤ64a,64b,64cを発光させると共に、温度センサ65の検知温度に基づいて、各ＬＥＤ64a,64b,64cの発光色を決定することができる。このように全てのＬＥＤ64a,64b,64cを検知温度に応じた色で同時に発光させることにより、水温の視認がさらに確実になると共に、手元が一層明るくなって洗浄作業が行い易くなる。さらに、温度センサ65による出湯の検知温度が一定となった場合に、全てのＬＥＤ64a,64b,64cを白色に発光させるようにすれば、手元をさらに明るくすることができる。
【００６４】
また、吐出ヘッド6から放出される出湯の流量は、実施形態１において給湯管4bにおけるバイパス管46との合流点より下流側あるいは給水管4aにおけるダイヤフラム機構44より上流側に、実施形態２において給湯管4bに、流量センサを設けて検知するようにしてもよい。この場合も、流量センサで検知した流量に基づいて発光強度設定部94においてＬＥＤ64a,64b,64cの発光強度を設定する。
【００６５】
さらに、上記実施の形態において、出湯操作は、操作ボタン7のプッシュ動作により点消火を行い、回動動作により温度設定を行なうようにしたが、出湯の開始および停止を指示する出湯ボタンと、出湯の温度を調整する温調ダイヤルとを、それぞれ独立的に構成することもできる。
【図面の簡単な説明】
【００６６】
【図１】本発明の実施形態１に係るガス湯沸器1の全体正面図である。
【図２】本発明の実施形態１に係るガス湯沸器1の全体側面図である。
【図３】本発明の実施形態１に係るガス湯沸器1の構成ブロック図である。
【図４】本発明の実施形態１に係るガス湯沸器1の吐出ヘッドの正面図である。
【図５】本発明の実施形態１に係るガス湯沸器1の吐出ヘッドの底面図である。
【図６】本発明の実施形態２に係るガス湯沸器1の構成ブロック図である。
【符号の説明】
【００６７】
１  ガス湯沸器
２  ガスバーナ
３  ガス供給管
４ａ  給水管
４ｂ  給湯管
５  熱交換器
６  吐出ヘッド
７  操作ボタン
８  ガス量調節レバー
９  制御部
１１  器具本体
２１  点火プラグ
２２  熱電対
３１  ガス取入口
３２  ガス遮断弁
３３  ガス量調節弁
３４  ガス開閉弁
４１  水取入口
４２  出湯管
４３  止水弁
４４  ダイヤフラム機構
４５  水量調節弁
４６  バイパス管
４７  流量調整弁
４８  流量センサ
５１  吸熱部
５２  フィン
６１  水流切り替えスイッチ
６２  ストレート水流吐出口
６３  シャワー水流吐出口
６４ａ，６４ｂ，６４ｃ  発光ダイオード(ＬＥＤ)
６５  温度センサ
７１  点消火部
７２  温度設定部
９１  点消火制御部
９２  色決定部
９３  流量算出部
９４  発光強度設定部
【図１】
2010144959.tif 000003
【図２】
2010144959.tif 000004
【図３】
2010144959.tif 000005
【図４】
2010144959.tif 000006
【図５】
2010144959.tif 000007
【図６】
2010144959.tif 000008